(57)【特許請求の範囲】
【請求項１】
ホウケイ酸系ガラスを含有するセラミックを用いてなるセラミック基板本体と、
前記セラミック基板本体の一方主面に形成された導体部の一部から、前記セラミック基板本体の前記一方主面に跨るように配設されたガラス層と
を備え、
前記ガラス層が、
前記導体部の一部から、前記セラミック基板本体の前記一方主面に跨るように配設された、第１のガラス材料からなる第１のガラス層と、
前記第１のガラス層上に形成された、前記第１のガラス層を構成する第１のガラス材料とは異なる第２のガラス材料からなる第２のガラス層とを備え、
前記第１のガラス材料は、前記セラミック基板本体を構成するセラミックに含まれているガラスと同じホウケイ酸系ガラス系のガラス材料であって、前記第２のガラス材料よりも前記セラミック基板本体との密着性が良好な材料であり、
前記第２のガラス材料は、Ｓｉ、Ａｌ、およびＺｎを主成分とするガラスを含み、前記第１のガラス材料よりもめっき液に溶出しにくい材料であること
を特徴とするセラミック基板。
【請求項２】
前記ガラス層が、前記セラミック基板本体の一方主面に形成された前記導体部の外周を覆うように形成されていることを特徴とする請求項１記載のセラミック基板。
【請求項３】
前記第２のガラス層が、前記第１のガラス層全体を覆うように形成されていることを特徴とする請求項１または２記載のセラミック基板。
【請求項４】
前記導体部の表面にめっき膜が形成されていることを特徴とする請求項１〜３のいずれかに記載のセラミック基板。
【請求項５】
請求項１〜４のいずれかに記載のセラミック基板の前記導体部が、はんだを介して実装基板に接続されていることを特徴とする電子装置。
【請求項６】
ホウケイ酸系ガラスを含有するセラミックを主たる成分とする複数のセラミックグリーンシートが積層された積層体の一方主面に導体部が形成され、前記導体部の一部から、前記積層体の前記一方主面に跨るように第１のガラス材料からなる第１のガラス層が形成され、前記第１のガラス層上に、前記第１のガラス層を構成する前記第１のガラス材料とは異なる第２のガラス材料からなる第２のガラス層が形成された構造を有し、前記第１のガラス材料は、前記セラミックグリーンシートを構成するセラミックに含まれているガラスと同じホウケイ酸系ガラス系のガラス材料であって、前記第２のガラス材料よりも前記セラミック基板本体との密着性が良好な材料からなり、前記第２のガラス材料は、Ｓｉ、Ａｌ、およびＺｎを主成分とするガラスを含み、前記第１のガラス材料よりもめっき液に溶出しにくい材料からなる、未焼成のセラミック積層体を形成する工程と、
前記未焼成のセラミック積層体を焼成する工程と
を具備することを特徴とするセラミック基板の製造方法。
【請求項７】
前記導体部の外周を覆うように第１のガラス層を形成することを特徴とする請求項６記載のセラミック基板の製造方法。
【請求項８】
前記第１のガラス層全体を覆うように前記第２のガラス層を形成することを特徴とする請求項６または７記載のセラミック基板の製造方法。
【請求項９】
前記セラミック積層体を焼成する工程において、前記セラミック積層体の少なくとも一方主面上に、前記セラミック積層体を焼成する温度では実質的に焼結しないセラミック材料からなる収縮抑制用グリーンシートを配置した状態で前記セラミック積層体の焼成を行うことを特徴とする請求項６〜８のいずれかに記載のセラミック基板の製造方法。
【請求項１０】
前記セラミック積層体を焼成する工程の後に、前記導体部の表面にめっき膜を形成する工程を備えることを特徴とする請求項６〜９のいずれかに記載のセラミック基板の製造方法。
【発明の詳細な説明】
【技術分野】
【０００１】
本願発明はセラミック基板、電子装置およびセラミック基板の製造方法に関し、詳しくは、一方主面に形成された導体部を、はんだを介して実装基板上の実装用ランドに接続することにより実装が行われるセラミック基板、電子装置およびセラミック基板の製造方法に関する。
【背景技術】
【０００２】
セラミック基板は、通常、図１０に示すように、セラミック基板５０の一方主面に形成された導体部であるランド電極５１をはんだ５２を介して実装基板５３の実装用ランド５４に接続することにより実装されるように構成されている。
【０００３】
しかしながら、図１０のように、セラミック基板５０のランド電極５１の寸法と、実装基板５３の実装用ランド５４の寸法がほぼ同じ場合、例えば、製品のヒートサイクル試験時におけるセラミック基板５０と、実装基板５３の熱膨張係数の差により生じる応力が、ランド電極５１の端部に集中し、場合によっては、セラミック基板５０に亀裂・クラックＣが発生するという問題点がある。
【０００４】
そこで、図１１に示すように、ランド電極５１の周囲をガラス層５５により被覆して、ヒートサイクル試験時の応力集中を緩和し、セラミック基板５０への亀裂・クラックの発生や、ランド電極５１のマイグレーション不良の発生などを防止できるようにした方法が提案されている（特許文献１参照）。
【０００５】
また、特許文献１には、ガラス層５５に用いるガラス材料としては、セラミック基板５０を構成するセラミック材料（誘電体セラミック層）に配合したガラス材料を主成分とするガラス材料を用いることが、ガラス層５５とセラミック基板５０との接着性を高める見地から望ましいことが示されている。
【０００６】
しかしながら、通常のセラミック基板の製造方法によれば、ガラス層５５を形成した後に、ランド電極５１の表面に、はんだ喰われを防止するためのＮｉめっき膜や、はんだ付け性を向上させるためのＳｎめっき膜、接続信頼性などを向上させるためのＡｕめっき膜などを形成するための種々のめっきが施されることになるため、ガラス材料の種類によっては、ガラス層５５のめっき耐性が不十分になりやすく、めっき液の侵食によるピンホールの発生を招くというような問題点がある。
【０００７】
さらに、ガラス層５５と、セラミック基板５０との接着性を高める見地からセラミック基板５０を構成するセラミック層（誘電体層）に配合したガラス材料を主成分とするガラス材料をガラス層５５に用いた場合、セラミック層に配合されるガラスは通常電気的特性を重視して選択されたガラスであり、特にめっき耐性などは考慮されていないため、ガラス層５５のめっき耐性が不十分になりやすく、めっき液の侵食による問題が重大化しやすいという問題点がある。
【特許文献１】特開２００２−２３１８６０号公報
【発明の開示】
【発明が解決しようとする課題】
【０００８】
本願発明は、上記課題を解決するものであり、導体部の一部がガラス材料で覆われているためヒートサイクルによる導体部への応力集中がなく、かつ、導体部の一部を覆うガラス層がセラミック基板本体への密着性およびめっき耐性に優れた、信頼性の高いセラミック基板、それを用いた電子装置、および前記セラミック基板の製造方法を提供することを目的とする。
【課題を解決するための手段】
【０００９】
上記課題を解決するために、本願請求項１のセラミック基板は、
ホウケイ酸系ガラスを含有するセラミックを用いてなるセラミック基板本体と、
前記セラミック基板本体の一方主面に形成された導体部の一部から、前記セラミック基板本体の前記一方主面に跨るように配設されたガラス層と
を備え、
前記ガラス層が、
前記導体部の一部から、前記セラミック基板本体の前記一方主面に跨るように配設された、第１のガラス材料からなる第１のガラス層と、
前記第１のガラス層上に形成された、前記第１のガラス層を構成する第１のガラス材料とは異なる第２のガラス材料からなる第２のガラス層とを備え、
前記第１のガラス材料は、前記セラミック基板本体を構成するセラミックに含まれているガラスと同じホウケイ酸系ガラス系のガラス材料であって、前記第２のガラス材料よりも前記セラミック基板本体との密着性が良好な材料であり、
前記第２のガラス材料は、Ｓｉ、Ａｌ、およびＺｎを主成分とするガラスを含み、前記第１のガラス材料よりもめっき液に溶出しにくい材料であること
を特徴としている。
【００１０】
また、請求項２のセラミック基板は、請求項１の発明の構成において、
前記ガラス層が、前記セラミック基板本体の一方主面に形成された前記導体部の外周を覆うように形成されていることを特徴としている。
【００１１】
また、請求項３のセラミック基板は、請求項１または２の発明の構成において、前記第２のガラス層が、前記第１のガラス層全体を覆うように形成されていることを特徴としている。
【００１２】
また、請求項４のセラミック基板は、請求項１〜３のいずれかの発明の構成において、前記導体部の表面にめっき膜が形成されていることを特徴としている。
【００１３】
また、本願請求項５の電子装置は、請求項１〜４のいずれかに記載のセラミック基板の前記導体部が、はんだを介して実装基板に接続されていることを特徴としている。
【００１４】
また、本願請求項６のセラミック基板の製造方法は、
ホウケイ酸系ガラスを含有するセラミックを主たる成分とする複数のセラミックグリーンシートが積層された積層体の一方主面に導体部が形成され、前記導体部の一部から、前記積層体の前記一方主面に跨るように第１のガラス材料からなる第１のガラス層が形成され、前記第１のガラス層上に、前記第１のガラス層を構成する前記第１のガラス材料とは異なる第２のガラス材料からなる第２のガラス層が形成された構造を有し、前記第１のガラス材料は、前記セラミックグリーンシートを構成するセラミックに含まれているガラスと同じホウケイ酸系ガラス系のガラス材料であって、前記第２のガラス材料よりも前記セラミック基板本体との密着性が良好な材料からなり、前記第２のガラス材料は、Ｓｉ、Ａｌ、およびＺｎを主成分とするガラスを含み、前記第１のガラス材料よりもめっき液に溶出しにくい材料からなる、未焼成のセラミック積層体を形成する工程と、
を具備することを特徴としている。
【００１５】
また、請求項７のセラミック基板の製造方法は、請求項６の発明の構成において、前記導体部の外周を覆うように第１のガラス層を形成することを特徴としている。
【００１６】
また、請求項８のセラミック基板の製造方法は、請求項６または７の発明の構成において、前記第１のガラス層全体を覆うように前記第２のガラス層を形成することを特徴としている。
【００１７】
また、請求項９のセラミック基板の製造方法は、請求項６〜８のいずれかの発明の構成において、前記セラミック積層体を焼成する工程において、前記セラミック積層体の少なくとも一方主面上に、前記セラミック積層体を焼成する温度では実質的に焼結しないセラミック材料からなる収縮抑制用グリーンシートを配置した状態で前記セラミック積層体の焼成を行うことを特徴としている。
【００１８】
また、請求項１０のセラミック基板の製造方法は、請求項６〜９のいずれかの発明の構成において、前記セラミック積層体を焼成する工程の後に、前記導体部の表面にめっき膜を形成する工程を備えることを特徴としている。
【発明の効果】
【００１９】
本願請求項１のセラミック基板は、ホウケイ酸系ガラスを含有するセラミックを用いてなるセラミック基板本体の一方主面に形成された導体部の一部から、セラミック基板本体の一方主面に跨るようにガラス層を配設するとともに、ガラス層を、導体部の一部から、セラミック基板本体の一方主面に跨るように配設された、第１のガラス材料からなる第１のガラス層と、第１のガラス層上に形成された、第１のガラス層を構成する第１のガラス材料とは異なる第２のガラス材料からなる第２のガラス層とを備え、第１のガラス材料は、セラミック基板本体を構成するセラミックに含まれているガラスと同じホウケイ酸系ガラス系のガラス材料であって、第２のガラス材料よりもセラミック基板本体との密着性が良好な材料であり、第２のガラス材料は、Ｓｉ、Ａｌ、およびＺｎを主成分とするガラスを含み、第１のガラス材料よりもめっき液に溶出しにくい材料であるような構成としているので、例えば、第１のガラス層として、セラミック基板本体への密着性が良好なガラス層を形成し、この第１のガラス層上に、第２のガラス層として、第１のガラス層よりもめっき耐性に優れたガラス層を形成することにより、導体部の一部がガラス材料で覆われているためヒートサイクルによる導体部への応力集中がなく、かつ、導体部の一部を覆うガラス層が、セラミック基板本体への密着性およびめっき耐性に優れた信頼性の高いセラミック基板を確実に得ることが可能になる。
【００２０】
また、第１のガラス材料として、セラミック基板本体を構成するセラミックに含まれているガラスと同じ系のガラス材料を用い、第２のガラス材料として、めっき液に溶出しにくいガラス材料を用いるようにしているので、より確実に、導体部の一部を覆うように配設されるガラス層がセラミック基板本体への密着性およびめっき耐性に優れた、信頼性の高いセラミック基板を得ることが可能になり、本願発明をさらに実効あらしめることができる。
【００２１】
なお、第２のガラス材料、すなわち、めっき液に溶出しにくいガラス材料としては、Ｚｎの含有量が多く、例えば、１０重量％以上の割合でＺｎを含むガラス材料や、Ｓｒを７重量％以上含有するガラス材料、さらには、Ｚｎ−Ａｌ−Ｂａ−Ｓｉ−Ｓｒ−Ｚｒ−Ｃａ−Ｍｇ−Ｔｉ系ガラスなどを用いることが可能である。
【００２２】
これらのガラス材料は、特に中性のめっき液を用いる場合のめっき耐性に優れている。
【００２３】
第１のガラス材料として、ホウケイ酸系ガラスを含むものを用い、第２のガラス材料として、Ｓｉ、Ａｌ、およびＺｎを主成分とするガラスを含むものを用いているので、セラミック基板本体との密着性およびめっき耐性に優れたガラス層を備えた信頼性の高いセラミック基板を得ることが可能になる。
【００２４】
また、請求項２のセラミック基板のように、請求項１の発明の構成において、ガラス層を、セラミック基板本体の一方主面に形成された導体部の外周を覆うように形成するようにした場合、特に応力が集中しやすい導体部の周辺部をガラス層により被覆して、応力の集中を効率よく抑制、防止することが可能になり、本願発明を実効あらしめることができる。
【００２５】
また、請求項３のセラミック基板のように、請求項１または２の発明の構成において、第２のガラス層を、第１のガラス層全体を覆うように形成するようにした場合、表面にめっき耐性に優れた第２のガラス層のみが露出した構成とすることが可能になり、めっき浸食のない、より信頼性の高いセラミック基板を得ることが可能になる。
【００２６】
また、請求項４のセラミック基板のように、請求項１〜３のいずれかの発明の構成において、導体部の表面にめっき膜が形成されているような構成とした場合、例えば、めっき膜によりはんだ付け性や電気的接続信頼性などの特性を向上させることが可能になるため、所望の特性を備えたセラミック基板をより確実に得ることが可能になり、有意義である。
【００２７】
また、本願請求項５の電子装置は、請求項１〜４のいずれかに記載のセラミック基板の導体部が、はんだを介して実装基板に確実に接続されており、かつ、セラミック基板の導体部の一部が２層構造のガラス層により被覆されているので、セラミック基板本体との密着性およびめっき耐性に優れているため、信頼性の高いセラミック基板が実装基板上に搭載された信頼性の高い電子装置を得ることが可能になる。
【００２８】
また、本願請求項６のセラミック基板の製造方法は、ホウケイ酸系ガラスを含有するセラミックを主たる成分とする複数のセラミックグリーンシートが積層された積層体の一方主面に導体部が形成され、導体部の一部から、積層体の一方主面に跨るように第１のガラス材料からなる第１のガラス層が形成され、第１のガラス層上に、第１のガラス層を構成する第１のガラス材料とは異なる第２のガラス材料からなる第２のガラス層が形成された構造を有し、第１のガラス材料は、セラミック基板本体を構成するセラミックに含まれているガラスと同じホウケイ酸系ガラス系のガラス材料であって、第２のガラス材料よりもセラミック基板本体との密着性が良好な材料からなり、第２のガラス材料は、Ｓｉ、Ａｌ、およびＺｎを主成分とするガラスを含み、第１のガラス材料よりもめっき液に溶出しにくい材料からなる、未焼成のセラミック積層体を形成する工程と、未焼成のセラミック積層体を焼成する工程とを備えているので、セラミック基板本体と、セラミック基板本体の一方主面に形成された導体部の一部から、セラミック基板本体の一方主面に跨るように配設された、第１ガラス層および第２ガラス層を備えた２層構造のガラス層を備え、導体部の一部を覆うガラス層が、セラミック基板本体への密着性およびめっき耐性に優れた信頼性の高いセラミック基板を効率よくしかも確実に製造することが可能になる。
【００２９】
なお、この本願請求項６のセラミック基板の製造方法により、本願請求項１〜４のセラミック基板を効率よく製造することができる。
【００３０】
また、請求項７のセラミック基板の製造方法のように、請求項６の発明の構成において、導体部の外周を覆うように第１のガラス層を形成するようにした場合、特に応力が集中しやすい導体部の周辺部をガラス層により被覆して、応力の集中を効率よく抑制、防止することが可能になり、本願発明を実効あらしめることができる。
【００３１】
また、請求項８のセラミック基板の製造方法のように、請求項６または７の発明の構成において、第１のガラス層全体を覆うように第２のガラス層を形成するようにした場合、表面に第１のガラス層よりもめっき耐性に優れた第２のガラス層のみが露出した構成とすることが可能になり、めっき浸食のない、より信頼性の高いセラミック基板を得ることが可能になる。
【００３２】
また、請求項９のセラミック基板の製造方法のように、請求項６〜８のいずれかの発明の構成において、セラミック積層体を焼成する工程において、セラミック積層体の少なくとも一方主面上に、セラミック積層体を焼成する温度では実質的に焼結しないセラミック材料からなる収縮抑制用グリーンシートを配置した状態でセラミック積層体を焼成するようにした場合、焼成工程において、セラミック積層体の主面に平行な方向への収縮を抑制、防止しつつセラミック積層体を焼成することが可能になり、所望の特性を備えた信頼性の高いセラミック基板をより確実に製造することが可能になる。
【００３３】
また、請求項１０のセラミック基板の製造方法のように、請求項６〜９のいずれかの発明の構成において、セラミック積層体を焼成する工程の後に、導体部の表面にめっき膜を形成するようにした場合、例えば、めっき膜によりはんだ付け性や電気的接続信頼性などの特性を向上させることが可能になるため、所望の特性を備えたセラミック基板をより確実に製造することが可能になり、有意義である。
【図面の簡単な説明】
【００３４】
【図１】本願発明の一実施例にかかるセラミック基板の、導体部が配設された一方主面を示す図である。
【図２】(ａ)は、本願発明の一実施例にかかるセラミック基板の導体部およびその近傍部を拡大して示す断面図、(ｂ)，(ｃ)は、他の例にかかるセラミック基板の導体部およびその近傍部を拡大して示す断面図である。
【図３】本願発明の一実施例にかかるセラミック基板の構成を示す断面図である。
【図４】本願発明の一実施例にかかるセラミック基板に表面実装部品を実装した後、封止用樹脂にて封止した状態を示す図である。
【図５】表面実装部品を実装した後、封止用樹脂にて封止した状態のセラミック基板（回路基板）を実装基板であるエポキシ樹脂基板にはんだ実装した状態を示す図である。
【図６】マイグレーション評価試験に供するため作製したセラミック基板を示す図である。
【図７】本願発明のセラミック基板の製造工程において、ランド電極となる導体部を形成する方法を説明する図である。
【図８】(ａ)，(ｂ)，(ｃ)は、導体部およびガラス層を形成する他の方法を示す図である。
【図９】(ａ)，(ｂ)，(ｃ)は、本願発明のセラミック基板において、導体部の一部を覆うように配設されるガラス層の配設態様を示す図である。
【図１０】従来のセラミック基板の一方主面に形成されたランド電極をはんだを介して実装基板の実装用ランドに接続した状態を示す図である。
【図１１】従来の他のセラミック基板のランド電極およびその近傍の構造を示す図である。
【符号の説明】
【００３５】
１          セラミック基板本体
１ａ        一方主面
１ｂ        他方主面
１０        セラミック基板
１０ａ      回路基板
１０ｂ      セラミック基板
１１        第１のガラス層
１２        第２のガラス層
１３        ガラス層
１４        導体部（ランド電極）
１５，１６  表面実装部品
１７        封止用樹脂
１８        はんだ
１９        めっき膜
２１        回路形成用の面内導体
２２        層間接続用のビアホール
２３        表面導体
３１        エポキシ樹脂基板
３２        実装用ランド
４１ａ，４１ｂ      くし型電極
４３        支持体
【発明を実施するための最良の形態】
【００３６】
以下に本願発明の実施例を示して、本願発明の特徴とするところをさらに詳しく説明する。
【実施例１】
【００３７】
まず、本願発明におけるセラミック基板の製造方法について以下に説明する。
［セラミック基板の作製］
(ａ)ＳｉＯ2、Ａｌ2Ｏ3、Ｂ2Ｏ3、およびＣａＯを混合した結晶化ガラス粉末と、アルミナ粉末を等重量比率で混合して混合粉末を得た。
【００３８】
(ｂ)それから、得られた混合粉末１００重量部に、ポリビニルブチラール１５重量部、イソプロピルアルコール４０重量部、およびトロール２０重量部を加え、ボールミルで２４時間混合してスラリーとした。
【００３９】
(ｃ)このスラリーをドクターブレード法により延ばして厚さ１２０μｍのセラミックグリーンシートを作製した。
【００４０】
(ｄ)また、ヒートサイクル評価用基板として、上記(ｃ)の工程で作製したセラミックグリーンシートの各層に、必要に応じて層間接続用の貫通孔の形成加工、および該貫通孔への導電性ペーストの充填を行うとともに、セラミックグリーンシートの表面に、面内導体となる導電性ペーストの印刷を行った。
上記の貫通孔に充填する導電性ペーストおよび面内導体用の導電性ペーストとしては、いずれも、Ａｇ粉末８３重量％、プロピレングリコールフェニルエーテル・テキサノール１５重量％、エチルセルロース２重量％を混合することにより作製した導電性ペーストを用いた。ただし、なお、貫通孔に充填する導電性ペーストと面内導体用の導電性ペーストを異なる種類のものとすることも可能である。
なお、面内導体は、厚みが２０μｍとなるようにした。
【００４１】
(ｅ)また、ランド電極となる導体部を形成すべき、表層用のセラミックグリーンシートについては、必要に応じて層間接続用の貫通孔の形成加工、および該貫通孔への導電性ペーストの充填を行った後、表面に、ランド電極となる導体部用の導電性ペーストを印刷した。なお、導体部用の導電性ペーストとしては、上記(ｄ)の工程で用いた導電性ペーストと同じ導電性ペーストを用いた。
ただし、上記(ｄ)の工程で用いた導電性ペーストと異なる種類の導電性ペーストを用いることも可能である。
また、貫通孔に充填される導電性ペーストと面内導体用の導電性ペーストを、異なる種類のものとすることも可能である。
なお、導体部は、導電性ペーストを用いて形成する場合に限られるものではなく、金属箔を用いて形成することも可能である。
【００４２】
(ｆ)それから、導体部の一部から表層用のセラミックグリーンシートに跨るようにセラミックグリーンシートに含まれるガラス材料と同成分のガラス材料をペースト化したガラスペーストを印刷して、第１のガラス層を形成した。
この実施例では、セラミック基板本体を構成するセラミックに配合するガラスとして、ＳｉＯ2、Ａｌ2Ｏ3、Ｂ2Ｏ3、およびＣａＯを混合した結晶化ガラスが用いられていることから、第１のガラス層用のガラスとして、この結晶化ガラスと同じガラス、すなわち、ＳｉＯ2、Ａｌ2Ｏ3、Ｂ2Ｏ3、およびＣａＯを以下の割合で混合した結晶化ガラスを用いた。なお、この第１のガラス層用のガラスは、後述の第２のガラス層用のガラスよりも、セラミック基板本体への密着性に優れたガラスである。
ＳｉＯ2  ：４３重量％
Ａｌ2Ｏ3 ：  ８重量％
Ｂ2Ｏ3   ：  ６重量％
ＣａＯ   ：４３重量％
【００４３】
そして、このガラス粉末５３．２重量％とアルミナ粉末４６．８重量％の合計１００重量部に対して、ジブチルカルビトール３０重量部、エチルセルロース１５重量部を混合して、第１のガラス層用のガラスペーストを作製した。
【００４４】
なお、第１のガラス層用のガラスペーストとしては、ジブチルカルビトールに代えて、プロピレングリコールフェニルエーテル・テキサノールを混合して作製したものを用いることも可能である。
【００４５】
そして、上記のガラスペーストを印刷して、焼成後の厚みが８μｍとなるような第１のガラス層を形成した。
第１のガラス層の厚み（焼成後の厚み）は通常５〜１０μｍであることが好ましい。第１のガラス層の厚みが５μｍ未満の場合、膜中の空孔（ポア）が多くなり、ポーラスになるため好ましくない。また、第１のガラス層の厚みが１０μｍを超えると、導体部（電極）との段差が大きくなり、層剥離の原因となるため好ましくない。
【００４６】
また、第１のガラス層用のガラス材料として、ＳｉＯ2−Ａｌ2Ｏ3−Ｂ2Ｏ3−ＣａＯ系ガラスを用いる場合、通常は、
ＳｉＯ2  ：２８〜４４重量％
Ａｌ2Ｏ3 ：０〜２０重量％
Ｂ2Ｏ3   ：０〜１７．５重量％
ＣａＯ   ：３６〜５０重量％
の範囲の組成のものを用いることが好ましい。
また、第１のガラス層用のガラス材料としては、上記のガラス材料以外にも、ＳｉＯ2−Ｂ2Ｏ3−ＢａＯ系ガラス、ＳｉＯ2−Ｂ2Ｏ3−Ｋ2Ｏ4系ガラスなどを用いることが可能である。
【００４７】
(ｇ)さらに第１のガラス層上に、ＳｉＯ2、Ａｌ2Ｏ3、ＺｎＯを主成分とするガラス材料をペースト化したガラスペーストを印刷して、第２のガラス層を形成した。
第２のガラス層用のガラス材料としては、めっき耐性に優れているもの、例えば、Ｚｎを１０％以上含むガラス材料を用いることが好ましい。
第２のガラス層用のガラス材料としては、第１のガラス層との密着性に優れるものがより好ましい。例えば、第１のガラス層用のガラス材料にＣａが含まれている場合、Ｃａはめっき液に溶解しやすいため第２のガラス層用のガラス材料として用いることはできないが、Ｃａと同属元素でありＣａよりもめっき耐性の高いＺｎを用いることにより、めっき耐性に優れ、かつ、第１のガラス層との密着性にも優れた第２のガラス層を形成することができる。
なお、第２のガラス層用のガラス材料としては、その他にも、Ｓｒを７％以上含むものを用いることができる。Ｓｒをガラスの結晶中に取り込ませることにより、めっき液に溶解しにくいガラスを作製することができる。また、Ｚｎ−Ａｌ−Ｂａ−Ｓｉ−Ｓｒ−Ｚｒ−Ｃａ−Ｍｇ−Ｔｉ系ガラスなどを用いることができる。
【００４８】
この実施例では、第２のガラス層用のガラスペーストとして、ＳｉＯ2、Ａｌ2Ｏ3、およびＺｎＯを、
ＳｉＯ2 ：５０重量部
Ａｌ2Ｏ3：２８重量部
ＺｎＯ  ：２２重量部
の割合で配合したガラス粉末７９重量％、プロピレングリコールフェニルエーテル・テキサノール５重量％、エチルセルロース１６重量％、を混合して作製したガラスペーストを用いた。
なお、この第２のガラス層用のガラスペーストは、上述の第１のガラス層よりもめっき耐性に優れた第２のガラス層を形成することができるものである。
【００４９】
そして、上記のガラスペーストを印刷して、焼成後の厚みが１５μｍとなるような第２のガラス層を形成した。
なお、第２のガラス層の厚み（焼成後の厚み）は、通常１０〜２０μｍであることが好ましい。第２のガラス層の厚みが１０μｍ未満の場合、膜中の空孔（ポア）が多くなり、ポーラスになるため好ましくない。また、第２のガラス層の厚みが２０μｍを超えると、後述する転写法により導体部、第１および第２のガラス層を形成する場合における、第１のガラス層を形成するためのガラスペーストを、第２のガラス層上に印刷する際のニジミの増大を招いたり、ガラス層を形成した後に導体部用の導電性ペーストを充填する際の、導電性ペーストの充填性が悪化するなどの問題点がある。
【００５０】
なお、第１のガラス層と、第２のガラス層の合計厚みは、１５〜３０μｍの範囲とすることが好ましい。第１のガラス層と、第２のガラス層の合計厚みが１５μｍ未満になると、ガラス層中の空孔による耐環境試験性が劣悪し、また、３０μｍを超えると、めっき膜のつきまわり性の低下や、実装不良を招くため、好ましくない。
【００５１】
(ｈ)それから、上記加工を施したセラミックグリーンシートを適宜組み合わせて積層し、積層数が１０層の積層体を形成した後、圧力５０ＭＰａ、温度６０℃で加圧密着させて未焼成のセラミック積層体を得た。
【００５２】
(ｉ)次に、この未焼成のセラミック積層体をアルミナ板よりなるトレー上に置き、温度６００℃で３時間加熱した後、温度９００℃で１時間加熱することによりセラミックを焼結させた。
【００５３】
なお、未焼成のセラミック積層体を焼成する際に、セラミック積層体を焼成する工程において、セラミック積層体の一方主面または両主面に、セラミックグリーンシートを構成するセラミックの焼結温度では実質的に焼結しないセラミック材料からなる収縮抑制用グリーンシートを配置した状態でセラミック積層体を焼成することも可能である。その場合、焼成工程において、セラミック積層体の主面に平行な方向への収縮を防止しつつセラミック積層体を焼成することが可能になる。
【００５４】
(ｊ)その後、ランド電極となる導体部の表面に５μｍ厚のＮｉめっきを施し、さらにその上に０．４μｍ厚のＡｕめっきを施すことにより、多層構造でランド電極となる導体部の外周部がすべて第１のガラス層および第２のガラス層を備えた２層構造のガラス層により被覆された構造を有するセラミック基板を得た。
【００５５】
なお、図１は、上述の方法で作製したセラミック基板の、導体部が配設された一方主面を示す図であり、図２(ａ)は本実施例の導体部およびその近傍部を拡大して示す断面図である。
この実施例では、図１および図２(ａ)に示すように、セラミック基板本体１の一方主面１ａの周辺部に、外周全体が第１のガラス層１１，第２のガラス層１２からなる２層構造のガラス層１３により被覆された導体部（ランド電極）１４が複数配設されたセラミック基板１０を作製した。
【００５６】
なお、図２(ａ)に示すように、導体部１４の表面が、その周辺部の第２のガラス層１２と同じ高さとなっているが、このような構成とすることは、例えば、導体部１４を押しつけながら第１および第２のガラス層１１，１２を形成したり、第１および第２のガラス層１１，１２を形成した後、さらに、導体部１４を形成するための導電性ペーストを塗布したりすることにより可能になる。
また、導体部およびその近傍部の形状は、上記の構成に限られるものではなく、以下に説明するような構成とすることも可能である。
例えば、図２(ｂ)に示すように、導体部１４の表面が、その周辺部の第１および第２のガラス層１１，１２より低い位置に形成されていてもよい。
また、図２(ｃ)に示すように、第２のガラス層１２の表面のほぼ全面が導体部１４の表面と同じ高さに形成されていてもよい。
【００５７】
また、導体部１４の表面にはめっき膜１９が形成されることになるが、その場合に、図２(ａ)，(ｃ)に示すように、めっき膜１９が第２のガラス層１２の表面より高くなるように形成されると、実装基板との導通をより確実に得ることができて好ましい。
【００５８】
なお、図２(ｂ)においては、めっき膜１９は第２のガラス層１２の表面より低い位置に形成されているが、第２のガラス層１２の表面と同じ高さまでめっき膜を形成してもよく、また、それ以上の高さになるように形成してもよい。
【００５９】
また、めっき膜１９を形成する前に、第２のガラス層１２の表面と同じ高さになるように導体部１４を形成する（図２(ｃ)参照）ために、さらに導電性ペーストを塗布して厚い導体部１４を形成した後に、図２(ｃ)に示すようにめっき膜１９を形成してもよい。
【００６０】
また、図３は上述の方法で作製したセラミック基板の構造を示す断面図である。図３に示すように、このセラミック基板１０は、セラミック基板本体１の内部に回路形成用の面内導体２１、面内導体２１の層間接続用のビアホール２２を備え、かつ、セラミック基板本体１の上面側に表面導体２３などを備えているとともに、一方主面（図３では下面）１ａには、外周が第１のガラス層１１，第２のガラス層１２からなる２層構造のガラス層１３により被覆された導体部（ランド電極）１４が複数配設された構造を有している。
【００６１】
［特性の評価］
＜１＞クラックの発生率  
上述のようにして作製したセラミック基板本体１の他方主面１ｂに、図４に示すように、必要な表面実装部品１５，１６をはんだ実装した後、エポキシ樹脂を主成分とする封止用樹脂１７にて封止することにより、所定の回路基板１０ａ、すなわち、表面実装部品１５，１６が実装され、封止用樹脂１７にて封止されたセラミック基板１０を得た。
【００６２】
それから、図５に示すように、この回路基板１０ａの、ランド電極（導体部）１４が形成され、ガラス層１３が配設された一方主面１ａを、実装基板であるエポキシ樹脂基板３１にはんだ実装し、回路基板１０ａのランド電極１４を、エポキシ樹脂基板３１の実装用ランド３２に接続する。
【００６３】
それから、回路基板１０ａが実装されたエポキシ樹脂基板３１を、−５５℃から１２５℃の範囲の条件で、４００サイクルの負荷試験を行った後、レッドチェック浸透液を回路基板１０ａの全体に浸透させ、溶剤超音波洗浄を行い、クラックの有無の確認を行った。その結果、クラックの発生は観察されなかった。
【００６４】
なお、ヒートサイクルの負荷時には、実装基板とセラミック基板の熱膨張係数差により強度が弱い箇所に応力が集中し、セラミック基板の導体部（ランド電極）と周囲のセラミックの界面に亀裂・クラックが発生することがあるが、上述のような、セラミック基板本体１を構成するセラミックに含まれているガラスと同じ系のガラス材料からなる第１のガラス層１１と、第１のガラス材料１１よりもめっき液に溶出しにくいガラス材料からなる第２のガラス層１２を備えた２層構造のガラス層１３を導体部（ランド電極）１４の外周にコートすることにより、セラミックとの密着強度とめっき耐性に優れたガラス層１３を備えた、ヒートサイクル試験においてもクラックを発生することのない信頼性の高いセラミック基板を得ることができる。
【００６５】
＜２＞マイグレーション評価試験
次に、マイグレーション評価試験に供するため、上記実施例の方法と同様の方法により、図６に示すように、表面にライン／スペース＝１００μｍ／１５０μｍの、一対のくし型電極４１ａ，４１ｂを備え、かつ、該くし型電極４１ａ，４１ｂ上に、第１のガラス層と第２のガラス層からなる２層構造のガラス層１３を、図６に示すような態様で配設したセラミック基板１０ｂを作製した。
【００６６】
そして、このセラミック基板１０ｂのくし型電極４１ａ，４１ｂ上に脱イオン水を滴下後、直流電圧１０Ｖを印加し、くし型電極４１ａ，４１ｂ間が短絡するまでの時間を測定した。その結果、くし型電極４１ａ，４１ｂが短絡するまでの時間は５分間であった。この結果から、上述のように構成されたセラミック基板１０ｂは優れた耐マイグレーション性を有していることが確認された。
【００６７】
なお、セラミック基板本体を構成するセラミックに含まれているガラスは、製品であるセラミック基板の特性を考慮して選択されたものであり、膜特性などは特に考慮されていない場合が多く、このようなガラスを用いて導体部（ランド電極）の外周を被覆したとしても、ガラス層にピンホールなどの欠陥を生じることが多く、また、ピンホールなどを防ぐため、膜厚を大きくしたとしても、材料的な面からめっき耐性が不十分になりやすく、めっき液侵食によるピンホールなどの不具合を防ぐことが困難であるのが実情である。しかしながら、本願発明のように、セラミック基板本体を構成するセラミックに含まれているガラスと同じ系のガラス材料からなる第１のガラス層と、第１のガラス材料よりもめっき液に溶出しにくいガラス材料からなる第２のガラス層を備えた２層構造のガラス層で、導体部（ランド電極）の外周を被覆することにより、ガラス層がセラミックとの密着強度およびめっき耐性に優れ、ピンホールなどの欠陥のない信頼性の高いセラミック基板を得ることができる。
【００６８】
なお、比較のため、ランド電極の外周を被覆するためのガラス層を、本願発明における第１のガラス層、すなわち、セラミック基板本体を構成するセラミックに含まれているガラスと同じ系のガラス材料からなる第１のガラス層のみからなる一層構造としたセラミック基板を作製し、特性を調べたところ、上記＜１＞のヒートサイクルによるセラミック基板へのクラックの発生は観察されなかったが、上記＜２＞のマイグレーション評価試験を上記実施例の場合と同一の条件で行ったところ、電極間が短絡するまでの時間が１０秒間と短く、Ａｇのデントライト成長、すなわちＡｇのマイグレーションが確認された。
【００６９】
また、比較のため、ランド電極の外周を被覆するためのガラス層として、本願発明における第２のガラス層、すなわち、第１のガラス材料よりもめっき液に溶出しにくいガラス材料からなる第２のガラス層のみからなる一層構造としたセラミック基板を作製し、特性を調べたところ、上記＜１＞のヒートサイクルにおいて、セラミック基板へのクラックの発生が観察された。また、上記＜２＞のマイグレーション評価試験を上記実施例の場合と同一の条件で行ったところ、電極間が短絡するまでの時間が１５秒間と短く、ガラスが剥離した部分からのＡｇのデントライト成長、すなわちＡｇのマイグレーションが確認された。
【００７０】
なお、上記実施例では、セラミックグリーンシート上に導体部用の導電性ペースト、第１のガラス層用のガラスペースト、および第２のガラス層用の導電性ペーストを印刷することにより、外周がガラス層に被覆された導体部を形成したが、ランド電極となる導体部１４を形成するにあたっては、図７に示すように、支持体４３上に第２のガラス層用のガラスペーストを印刷して、開口部を有する第２のガラス層１２を形成し、その上にさらに第１のガラス層１１となるガラスペーストを印刷して、開口部を有する第１のガラス層１１を形成し、その上から、第１のガラス層１１および第２のガラス層１２の開口部に導体部用の導電性ペーストを印刷して、導体部１４を形成した後、支持体４３上の導体部１４、第１のガラス層１１および第２のガラス層１２からなるガラス層１３を、セラミック積層体の一方主面に転写することにより、セラミック積層体の一方主面に、外周が第１のガラス層、および第２のガラス層からなる２層構造のガラス層により被覆された導体部を形成するようにしてもよい。
【００７１】
また、図８(ａ)，(ｂ)，(ｃ)を参照しつつ、以下に説明する方法により、セラミック基板（セラミック積層体）１０上に、導体部１４と第１および２のガラス層１１，１２を形成するようにしてもよい。
まず、図８(ａ)に示すように、セラミック基板（セラミック積層体）１０の一方主面１ａに、導体部用の導電性ペーストを印刷、または転写することにより導体部１４を形成する。
【００７２】
また、支持体４３の表面に、第２のガラス層用のガラスペーストを印刷して、開口部を有する第２のガラス層１２を形成し、さらにその上に、第１のガラス層となるガラスペーストを印刷することにより、開口部を有する第１のガラス層１１を形成する。
【００７３】
それから、支持体４３の表面に形成された第１および２のガラス層１１，１２を、導体部１４の形成されたセラミック基板（セラミック積層体）１０に転写し（図８(ｂ)）、支持体４３を取り除く（図８(ｃ)）ことにより、セラミック基板（セラミック積層体）１０上の導体部１４の周囲を、第１および２のガラス層１１，１２により被覆する。
【００７４】
なお、異なる２つの支持体上に第１および２のガラス層用のペーストをそれぞれ印刷して、一方の支持体上に第１のガラス層を形成し、他方の支持体上に第２のガラス層を形成しておき、第１のガラス層および第２のガラス層の順に、導体部の形成されたセラミック基板（セラミック積層体）にガラス層を転写することにより、図８(ｃ)に示すように、セラミック基板（セラミツク積層体）１０上の導体部１４の周囲を、第１および２のガラス層１１，１２により被覆するようにしてもよい。
【００７５】
また、図５は、上記実施例のセラミック基板１０（回路基板１０ａ）を、その導体部１４を、はんだ１８を介して実装基板（エポキシ樹脂基板）３１に接続した状態を示す図であり、かつ、本願発明の電子装置の一例を示す図でもある。
【００７６】
この電子装置においては、セラミック基板１０の導体部１４が、はんだ１８を介して実装基板に確実に接続されており、かつ、上記実施例のセラミック基板１０の導体部１４は外周が上述の２層構造のガラス層１３により被覆されているので、セラミック基板本体１との密着性およびめっき耐性に優れているため、信頼性の高いセラミック基板１０が実装基板上に搭載された信頼性の高い電子装置を得ることができる。
【００７７】
また、図９(ａ)，(ｂ)，(ｃ)は、導体部１４の一部を覆うように配設されるガラス層１３の配設態様を示す図である。
図９(ａ)は、上記実施例における、ガラス層１４の配設態様を示す図であり、上記実施例では、導体部１４の外周にガラス層１３をコートするにあたって、ガラス層１３を導体部１４の外周近傍のみを被覆するように配設しているが、本願発明のセラミック基板においては、図９(ｂ)，(ｃ)に示すように、導体部１４の外周にガラス層１３をコートするにあたって、導体部１４を露出させるべき領域を除いたすべての領域をガラス層１３により覆うようにしてもよい。
【００７８】
なお、図９(ｂ)では、導体部１４の露出面、およびその外周領域のガラス層１３の表面が、その周囲の面から突出するように構成されており、図９(ｃ)では、導体部１４の露出面が周囲のガラス層１３の表面よりも低くなるように、すなわち、導体部１４の露出面が、凹部の底面となるように構成されている。
【００７９】
図９(ｃ)の構成の場合、凹部に導電性ペーストを塗布して、導体部１４の表面が周囲のガラス層１３の表面と同じ高さとなるようにすることも可能であり、さらに、導電性ペーストを付与して、ガラス層の表面から導体部が突出した構造とすることも可能である。なお、導電性ペーストに限らず、金属箔を用いて導体部の高さを調整することも可能である。
【００８０】
いずれにしても、導体部１４、および、導体部１４の一部を覆うように配設されるガラス層１３の配設態様に特別の制約はなく、種々の変形を加えることが可能である。また、図９(ａ)，(ｂ)および(ｃ)においては、ガラス層１３および導体部１４の段差部が角張っている場合を示しているが、滑らかに厚みが変化するような構成とすることも可能である。
【００８１】
なお、本願発明は、その他の点においても、上記実施例に限定されるものではなく、セラミック基板本体を構成するセラミック材料の種類、導体部の形状や構成材料、ガラス層を構成するガラス材料の種類や組成などに関し、発明の範囲内において、種々の応用、変形を加えることが可能である。
【産業上の利用可能性】
【００８２】
上述のように、本願発明によれば、導体部の一部をガラス材料で覆うことにより、ヒートサイクルによる導体部への応力集中を抑制することが可能になるとともに、ランド電極となる導体部の一部を覆うように配設されるガラス層の、セラミック基板本体との密着性およびめっき耐性を向上させて、信頼性の高いセラミック基板を確実に得ることが可能になる。
したがって、本願発明はセラミック基板や、その製造技術の分野、セラミック基板を用いた電子装置の分野などに広く利用することが可能である。
【図１】
0004561831.tif 000002
【図２】
0004561831.tif 000003
【図３】
0004561831.tif 000004
【図４】
0004561831.tif 000005
【図５】
0004561831.tif 000006
【図６】
0004561831.tif 000007
【図７】
0004561831.tif 000008
【図８】
0004561831.tif 000009
【図９】
0004561831.tif 000010
【図１０】
0004561831.tif 000011
【図１１】
0004561831.tif 000012